(57)【特許請求の範囲】
【請求項１】
遊技機が設置される遊技島台内に設置され、該遊技島台内を循環する遊技媒体が移動する遊技媒体通路を有し、該遊技媒体通路を通過する遊技媒体の表面を清浄するシート状の清浄部材が上面に敷設された揺動板を揺動手段により水平方向に揺動することにより、前記清浄部材上に載置される遊技媒体を清浄する遊技媒体清浄装置であって、
前記揺動板上の遊技媒体を前記清浄部材に付勢する付勢手段が設けられ、
前記清浄部材が、前記遊技媒体通路の側方位置までスライド移動出来るように装置の基体部に対してスライド移動自在に設けられた取付ユニットに着脱自在に設けられ、
前記取付ユニットは、帯状の新規な清浄部材を補給する補給部と、該補給部に補給された新規な清浄部材を前記遊技媒体通路に引き出す引出し手段と、を備えることを特徴とする遊技媒体清浄装置。
【請求項２】
前記付勢手段が、所定重量を有し、かつ、前記揺動板上に位置する遊技媒体の上部に載置されるように設けられる板状部材により構成されている請求項１に記載の遊技媒体清浄装置。
【請求項３】
前記清浄部材上に遊技媒体が載置されていない状態において、前記板状部材を、その下面が前記清浄部材上に載置される遊技媒体の上端よりも下方に、かつ、前記清浄部材と離間する位置で保持する保持手段が設けられている請求項２に記載の遊技媒体清浄装置。
【請求項４】
前記板状部材における遊技媒体の流入側端部に、流入側に向かって上方に傾斜するテーパ面が形成されている請求項２または３に記載の遊技媒体清浄装置。
【請求項５】
前記板状部材の少なくとも遊技媒体の移動方向への移動を規制する規制手段が設けられている請求項２〜４のいずれかに記載の遊技媒体清浄装置。
【発明の詳細な説明】
【０００１】
【発明の属する技術分野】
本発明は、遊技機にて遊技を行う際に使用される遊技媒体の表面を清浄する遊技媒体清浄装置に関する。
【０００２】
【従来の技術】
従来、遊技媒体としてのパチンコ玉やコイン等の表面を清浄する遊技媒体清浄装置としては、例えば特開平１０−１５６０２９号公報に開示された装置等がある。この装置は、上面に清浄部材が敷設された揺動板が水平揺動することにより、前記清浄部材上に載置されるパチンコ玉やコイン等が清浄部材に摺接されて、その表面に付着された汚れやゴミ等が拭い取られるように構成されている。
【０００３】
さらに詳しくは、揺動板は、その下方に設けられるモータの回転軸心に取り付けられる偏心部材に対して相対回転自在に固着されており、前記回転軸の回転に伴い揺動板が水平方向に揺動されるようになっている。
【０００４】
【発明が解決しようとする課題】
しかしながら、上記公報に記載の清浄装置においては、上面に清浄部材が敷設された揺動板上にパチンコ玉を載置するのみでその表面が清浄されるようになっているため、特に揺動板の揺動により振動が発生すると、揺動板の撓み等が原因となってパチンコ玉の飛び跳ねが生じやすくなり、パチンコ玉と清浄部材との間の摩擦抵抗が低減されて清浄作用が低減するといった問題を有していたため、さらなる改良が求められていた。
【０００５】
本発明は、このような問題点に着目してなされたもので、遊技媒体の表面の汚れやゴミ等を確実に清浄することが出来る遊技媒体清浄装置を提供することを目的とする。
【０００６】
【課題を解決するための手段】
上記課題を解決するために、本発明の遊技媒体清浄装置は、遊技機が設置される遊技島台内に設置され、該遊技島台内を循環する遊技媒体が移動する遊技媒体通路を有し、該遊技媒体通路を通過する遊技媒体の表面を清浄するシート状の清浄部材が上面に敷設された揺動板を揺動手段により水平方向に揺動することにより、前記清浄部材上に載置される遊技媒体を清浄する遊技媒体清浄装置であって、前記揺動板上の遊技媒体を前記清浄部材に付勢する付勢手段が設けられ、前記清浄部材が、前記遊技媒体通路の側方位置までスライド移動出来るように装置の基体部に対してスライド移動自在に設けられた取付ユニットに着脱自在に設けられ、前記取付ユニットは、帯状の新規な清浄部材を補給する補給部と、該補給部に補給された新規な清浄部材を前記遊技媒体通路に引き出す引出し手段と、を備えることを特徴としている。
この特徴によれば、揺動板が水平揺動することにより、清浄部材上に載置される遊技媒体が清浄部材に摺接されて、その表面に付着された汚れやゴミ等が拭い取られるとともに、付勢手段により遊技媒体が清浄部材に付勢されることにより、揺動時における遊技媒体の飛び跳ね等が防止され、清浄部材に確実に擦り付けられることになるので、清浄作用の低減が効果的に防止される。また、使用済みの清浄部材の取り外し、及び新規なシート部材の取付け時において、基体部や遊技媒体通路を構成する各部位が邪魔になることがないばかりか、遊技島台内に取付ユニットを設置した際、装置全体を移動することなく、取付ユニットのみを外方に引出して交換作業等を行えるため、作業性が向上する。
【０００７】
本発明の遊技媒体清浄装置は、前記付勢手段が、所定重量を有し、かつ、前記揺動板上に位置する遊技媒体の上部に載置されるように設けられる板状部材により構成されていることが好ましい。
このようにすれば、簡単な構成にて、遊技媒体を清浄部材に付勢することが出来る。
【０００８】
本発明の遊技媒体清浄装置は、前記清浄部材上に遊技媒体が載置されていない状態において、前記板状部材を、その下面が前記清浄部材上に載置される遊技媒体の上端よりも下方に、かつ、前記清浄部材と離間する位置で保持する保持手段が設けられていることが好ましい。
このようにすれば、揺動板上に遊技媒体がなくなっても、板状部材は保持手段により揺動板の上方所定高さ位置に保持されて、揺動板上に落下することがないばかりか、保持された状態において遊技媒体は揺動板と板状部材との間に流入されるので、遊技媒体の流入が妨げられることがない。
【０００９】
本発明の遊技媒体清浄装置は、前記板状部材における遊技媒体の流入側端部に、流入側に向かって上方に傾斜するテーパ面が形成されていることが好ましい。
このようにすれば、揺動板と清浄部材との間に遊技媒体が流入しやすくなる。
【００１０】
本発明の遊技媒体清浄装置は、前記板状部材の少なくとも遊技媒体の移動方向への移動を規制する規制手段が設けられていることが好ましい。
このようにすれば、揺動板と清浄部材との間に流入した遊技媒体の移動に伴う板状部材の位置ずれが防止される。
【００１１】
【発明の実施の形態】
以下、本発明の実施例を図面に基づいて説明すると、まず図１には本発明の適用された遊技島台１が示されており、この遊技島台１は、前後面（後面は図示せず）に所定の台数（本実施例では４台）のパチンコ機２および該パチンコ機２に１対１に設けられるカードユニット３が配置され、内部にこれらパチンコ機２を稼動させるのに必要な適宜装置が収容されて１つの独立したユニット構成とされた遊技島台１’が、長手方向に複数連結されることにより構成されている。
【００１２】
各遊技島台１’は、図１〜図３に示されるように、左右の側板４、４’と、これら側板４、４’上部を連結する上部フレーム５と、側板４、４’下部を連結する下部フレーム６と、遊技島台１’の前後面下部を覆う腰板７と、該腰板７上部に配設される膳板１０と、遊技島台１’の前後面上部を覆う幕板８及びランプ板９と、からなり、膳板１０上面にパチンコ機２やカードユニット３を載置出来るように構成されている。
【００１３】
膳板１０には、該膳板１０上に配設されるパチンコ機２に対応して玉受皿１２を有する玉計数装置１１が固設されており、各パチンコ機２の下皿１３より玉受皿１２内に排出されたパチンコ玉は、前面に設けられたスライドレバー１４を操作することで内部に設けられた適宜カウンタ（図示略）により計数された後、遊技島台１’内部下方に設けられた回収桶部１５に排出されるようになっている。
【００１４】
回収樋部１５の下方には、特に図２及び図３に示されるように、後述する本発明の第１の実施例としての清浄装置１７が配設されており、回収樋部１５より流入されるパチンコ玉を清浄して、その側方に配設される下部タンク１６内に排出するようになっている。また、下部タンク１６の側方には、下部タンク１６内に貯留されたパチンコ玉を、上下方向に延びる揚送樋１９を介して遊技島台１’の上部に配設される上部タンク２０に揚送する揚送装置１８が配設されている。
【００１５】
上部タンク２０の前後面所定箇所には、内部のパチンコ玉をパチンコ機２へ導く補給シュート２１ａと、内部のパチンコ玉をカードユニット３へ導く補給シュート２１ｂとがそれぞれ配設されている。また、膳板１０には、パチンコ機２より排出されるアウト玉を整流するとともに、そのアウト玉数をカウンタ２２にて計数した後に前記回収樋部１５に排出するアウト玉タンク２３が、各パチンコ機２の背面位置にそれぞれ配設されている。
【００１６】
このように、各遊技島台１’内のパチンコ玉は、揚送装置１８等を介して遊技島台１’内を循環するとともに、循環経路の途中で、遊技島台１’内の下方に配設された清浄装置１７により適宜清浄されるようになっている。
【００１７】
次に、本発明の実施例としての清浄装置１７の詳細を図面に基づいて説明する。
【００１８】
清浄装置１７は、特に図４、図５に示されるように、全体のベースとなる基体部２４と、この基体部２４上部に設けられるパチンコ玉の玉通路部２５と、玉通路部２５上を移動するパチンコ玉を清浄する清浄部材としてのシート部材Ｓを装着するための取付ユニット２６と、から主に構成されている。
【００１９】
基体部２４は、下面に脚部材２７が固着された平面視細長矩形状の下板２８と、この下板２８の上面における長手方向両端にそれぞれ立設された支持板２９、２９’と、これら両支持板２９、２９’の両側端面における上部間を連結する上部フレーム３０、３０’と、両支持板２９、２９’の両側端面における下部間を連結する下部フレーム３１、３１’と、から平面視略細長矩形状に構成されている。
【００２０】
上部フレーム３０、３０’上面には、特に図６に示されるように、玉通路部２５の底面の一部を構成する揺動板３２を水平方向に揺動自在に支持する支持盤３３が、ネジ３４を介して固設されている。支持盤３３の裏面には、揺動板３２を揺動させる揺動手段としてのモータ３５が、支持盤３３の略中央位置に形成された上下方向を向く挿通孔３７より挿通させた回転軸３６の先端が支持盤３３の上面より突出するように取り付けられている。
【００２１】
３８は、内部に上下方向を向く貫通孔３９が形成された円柱形の偏心部材であり、この貫通孔３９内に回転軸３６を嵌挿し、外周所定箇所に形成されたネジ孔（図示略）より螺入される固定ネジ（図示略）により回転軸３６に対して相対回転不能に取り付けられている。この貫通孔３９の軸心は、図のように偏心部材３８の中央軸心に対して偏心しており、回転軸３６の回転により偏心部材３８が偏心回転するようになっている。
【００２２】
偏心部材３８の外周下部には円盤状のバランスウェイト４０が固着されており、この偏心部材３８の偏心回転時におけるバランスが保持されるようになっている。また、偏心部材３８の上端部には、裏面中央位置に凹部４１が形成された円柱形の支持部材４２が、凹部４１内に嵌合された環状のベアリング４３を介して相対回転可能に装着されている。
【００２３】
支持部材４２の外周端下面には、環状の凹溝４５が下向きに開口するように形成されているとともに、この凹溝４５の両側下面が、支持盤３３の上面に回転軸３６を囲むように固設される環状の台座４４の上面に載置されている。また、凹溝４５内にはグリスが充填され、支持部材４２と台座４４との摩擦抵抗が低減されるようになっている。
【００２４】
支持部材４２の上面には、玉通路部２５の一部を構成する平面視略長方形状の揺動板３２が固定ネジ４６を介して取り付けられているとともに、この揺動板３２の裏面四隅には、一端が支持盤３３の上面四隅に固着された引張りバネ４７の他端が固着されており、揺動板３２の周縁が支持盤３３方向に付勢されるようになっている。
【００２５】
揺動板３２の上面全域にはゴムシート４８が貼着されており、パチンコ玉の清浄時における振動や騒音等が吸収されるようになっている。そしてこのゴムシート４８の上面には、玉通路部２５を通過するパチンコ玉の表面に付着された汚れを除去する清浄部材としての紙製のシート部材Ｓが玉通路部２５の長手方向にわたって敷設される。
【００２６】
このシート部材Ｓは、後述するように新規なシート部材Ｓを補給出来る補給部より引き出されて敷設されたものであり、使用後は巻取モータ６８により回動される芯材６０に巻取られるようになっている。なお、このシート部材Ｓの材質は、パチンコ玉の表面に付着された汚れを除去し得るものであれば任意であり、特に紙製のシート部材に限定されるものでなく、例えば布製のシート部材であってもよい。
【００２７】
下板２８の上面には、特に図４、図５に示されるように、上向きコ字形の支持フレーム４９が、この下板２８の長手方向を横切るように固設されており、その支持フレーム４９の両上端部には、玉通路部２５の幅方向に延びる水平片５０、５０’がそれぞれ取り付けられている。この水平片５０、５０’の上面両端部には、上端にネジ孔が形成された固定部材５２が立設されており、玉通路部２５の側壁を構成する側板５１、５１’の長手方向両端部がネジを介して固定されている。なお、図６に示されるように、側板５１、５１’は、その下面と揺動板３２の上面との間に所定の隙間が形成されるように、揺動板３２よりも高位置に取り付けられており、後述するようにその隙間からシート部材Ｓを挿通出来るようになっている。
【００２８】
パチンコ玉は、図５、図７において、玉通路部２５を図中左側から右側に向けて通過するようになっており、図中左側、すなわち玉通路部２５の上流側の両側板５１、５１’間には、回収樋部１５より排出されたパチンコ玉を貯留する貯留部５３を有するとともに、底面が揺動板３２方向に向けて下方に傾斜する整流部材５４が取り付けられており、揺動板３２にパチンコ玉が上下方向に一列状態に整流されて流入するようになっている。また、図中右側、すなわち玉通路部２５の下流側の両側板５１、５１’間には、底面がパチンコ玉の移動方向に向けて下方に傾斜するとともに、揺動板３２上を通過したパチンコ玉を下部タンク１６内に導く通路部材５５が取り付けられている。
【００２９】
両側板５１、５１’の内面には、特に図６〜図８に示されるように、揺動板３２の長手方向に対して若干傾斜する傾斜片５６ａ、５６ａ’を有する縦断面Ｌ字形のガイド部材５６、５６’が、揺動板３２上面よりやや高位置にそれぞれ取り付けられており、揺動板３２上を通過するパチンコ玉が揺動板３２の長手方向に対して若干斜め方向に導かれるようになっている。
【００３０】
また、このガイド部材５６、５６’は、例えば低摩擦部材であるナイロン樹脂により成形されているため、傾斜片５６ａ、５６ａ’の前端面にパチンコ玉が接触しても、パチンコ玉がスムーズに移動されるようになっている。なお、ガイド部材５６、５６’は低摩擦部材により構成されていれば、その材質はナイロン樹脂に限定されるものではない。さらに、パチンコ玉に接触しうる例えば傾斜片５６ａ、５６ａ’の前端面のみが低摩擦部材の表面により構成されていればよく、全体が低摩擦部材により構成されていなくてもよい。
【００３１】
また、図６、図７に示されるように、揺動板３２の上方には、平面視で揺動板３２とほぼ同形をなすとともに、所定重量を有し、パチンコ玉をシート部材Ｓに向けて付勢する付勢手段としての板状の蓋部材５７が、その下面を揺動板３２上のパチンコ玉の上端部に載置されるようにして設けられている。揺動板３２上のシート部材Ｓ上に位置するパチンコ玉は、その上部に所定重量を有する蓋部材５７がフリーな状態で載置されることによりシート部材Ｓに付勢されるので、飛び跳ねが確実に防止されるばかりか、シート部材Ｓに強く擦り付けられるため、揺動板３２の揺動時においてシート部材Ｓにおける清浄作用が高まる。
【００３２】
また、この蓋部材５７は、規制手段としての両側板５１、５１’により側方への移動が、また、この両側板５１、５１’間に横架される棒材１２２により玉通路部２５を通過するパチンコ玉の移動方向（下流側）への移動が規制されるようになっているため、パチンコ玉の移動にともなう回転や位置ずれ等が防止されているとともに、その下面両端が保持手段としてのガイド部材５６、５６’の上端に支持され、揺動板３２の上方所定高さ位置に保持されるようになっており、揺動板３２上にパチンコ玉がなくなった際における落下が防止されている。さらに詳しくは、蓋部材５７は、その下面が揺動板３２上に載置されているパチンコ玉の上端よりもやや下方に位置する状態でガイド部材５６、５６’によって落下不能に保持される。よって、パチンコ玉は揺動板３２と蓋部材５７との間にスムーズに流入されることになるので、玉詰まり等が発生する恐れがない。
【００３３】
また、特に図７に示されるように、蓋部材５７における玉通路部２５の上流側の端部にはテーパ面５７ａが形成されており、パチンコ玉が玉詰まりすることなく揺動板３２と蓋部材５７との間にスムーズに進入されるようになっている。
【００３４】
さらに、特に図示しないが、蓋部材５７の下面、すなわちパチンコ玉との当接面に低摩擦樹脂を塗布すること等により、その当接面を低摩擦樹脂層の表面により構成すれば、パチンコ玉は、蓋部材５７によりシート部材Ｓに付勢された状態でも下流側にスムーズに移動されることになる。
【００３５】
取付ユニット２６は、特に図４、図７、図９〜１３に示されるように、支持板２９、２９’の両側端面間にそれぞれ水平に横架される支持棒６３、６３’の軸心方向にスライド移動自在に設けられる上向きコ字形のスライド部材６２と、このスライド部材６２の両垂直腕部６２ａ、６２ｂの上下方向略中央位置よりガイド部材６２に対してほぼ並行状態にそれぞれ突設され、外周に新規のシート部材Ｓが多重に巻回された中空の芯材５８を遊挿可能な取付管５９、及び前記芯材５８より引き出したシート部材Ｓを巻回する中空の芯材６０を遊挿可能な巻取管６１と、から主に構成されている。なお、取付管５９は、新規なシート部材Ｓを補給するための補給部として機能している。
【００３６】
両垂直腕部６２ａ、６２ｂの上端には、縦断面略半月形状のガイド棒６４、６４’の一端が、その上端が揺動板３２の上面とほぼ同高さに位置するように、かつ揺動板３２の両端部近傍に沿うように取り付けられており、特に図１２に示されるように、このガイド棒６４、６４’によって帯状のシート部材Ｓの一部が水平状態で保持されるようになっている。なお、ガイド棒６４、６４’の長手方向両端には、シート部材Ｓの幅方向の位置ズレを規制する規制部材６７（図７、図１２参照）がそれぞれ取り付けられている。
【００３７】
巻取管６１は、特に図９に示されるように、垂直腕部６２ｂに対して軸心周りに回転自在に軸支されているとともに、垂直腕部６２ｂを貫通して外部に突出される先端部には、その上方に固定された巻取モータ６８の回転軸６９の先端に固着されたプーリ７０に対して連結ベルト７１を介して連結されるプーリ７２が固着されており、巻取モータ６８が駆動されることにより軸周りに回転されるようになっている。
【００３８】
また、取付管５９の垂直腕部６２ａ側及び巻取管６１の垂直腕部６２ｂ側には、外周面がテーパ状に形成されたストッパ部材８１がそれぞれ取り付けられており、中空の芯材５８、６０の端部が嵌合されるようになっている。さらに取付管５９に取り付けられたストッパ部材８１と垂直腕部６２ａの側壁との間には、図１１に示されるように高摩擦部材としてのゴムリング９５が嵌装されており、取付管５９が軸周りに回転する際に所定の摩擦抵抗がかかるようになっている。これにより、シート部材Ｓの引出し動作終了時における取付管５９の空転が防止されるため、シート部材Ｓが余分に引出されることがない。
【００３９】
ここで、これら巻取管６１及び取付管５９における芯材５８、６０の取付構造を図１０に基づいて説明する。なお、ここでは巻取管６１の構造のみを説明し、取付管５９の構造は同一のものとして、ここでの説明は省略するものとする。
【００４０】
図１０（ａ）、（ｂ）に示されるように、巻取管６１の先端部には小径管６１ａが形成されているとともに、この小径管６１ａの基部側外周には、放射状に広がる４つの突片７３ａを備える環状の取付部材７３が環着されており、これら各突片７３ａには、芯材６０を固定する固定片７４の先端部が軸７５を介して軸支されている。なお、各固定片７４は、図示しないコイルバネにより、その後端部が常時中心方向に付勢されている。
【００４１】
また、小径管６１ａには、各固定片７４による芯材６０の固定及び固定解除を行う操作部材７６が、その前面に形成された有底の穴部７７を介して軸心方向に移動自在に嵌挿されている。この操作部材７６は、その外周面所定箇所より螺入されるネジ７８の先端が、小径管６１ａの外周に軸心方向を向くように形成される所定長さの溝部７９内に摺動自在に嵌合されることにより、軸心方向の移動範囲及び軸心周りの回転が規制されるようになっている。また、操作部材７６の前面には、先端が後ろ向きに湾曲状に屈曲形成される板ばね８０が、その先端が各固定片７４の裏面に摺接するように、それぞれネジを介して固定されている。
【００４２】
ここで、巻取管６１への芯材６０の固定方法及び固定解除方法を説明すると、まず図１０（ａ）に示されるように、操作部材７６を図１０中左側寄り、すなわち巻取管６１に対して後退させた状態において、各固定片７４は、図示しないコイルバネによりその裏面後部が板バネ８０の先端に付勢されて略水平状態に保持されるため、芯材６０を巻取管６１に挿通出来る状態となる。そして芯材６０を奥方まで挿通し、その端部をストッパ部材８１に嵌合する。
【００４３】
なお、特に図９に示されるように、この芯材６０の端部には、このストッパ部材８１の外周所定箇所に形成された突片１２０に係合する切欠溝１２１が形成されており、ストッパ部材８１の嵌合時において、切欠部１２１を突片１２０に係合させることにより芯材６０の軸周りの回転が規制されるようになっている。
【００４４】
この状態において、図１０（ｂ）に示されるように、操作部材７６を巻取管６１の軸心方向に押し込むと、固定片７４の裏面が板バネ８０の先端により押し上げられ、芯材６０の端部内面に各固定片７４の外面が圧接される。これにより巻取管６１に嵌挿された芯材６０は、巻取管６１の軸心方向への移動、及び軸心周りの回転が規制された状態に保持されることになる。なお、前述したように、取付管５９も同様の固定片７４が設けられており、芯材５８を装着することが出来るようになっている。
【００４５】
このように、操作部材７６の進退操作のみで、芯材５８、６０を容易に固定することが出来るので、新規なシート部材Ｓのセットや交換作業を短時間で容易に行える。
【００４６】
取付ユニット２６の構成に戻って、ガイド棒６４、６４’の両先端部は、スライド部材６２をスライドさせるための取手６５が取り付けられた連結部材６６により連結されているとともに、この連結部材６６の取付管５９側端部からスライド部材６２方向に屈曲された端部には、特に図７及び図１３に示されるように、下端にローラ８２が軸支されたアーム８３の上端が、連結部材６６の内面に固着された一対の取付片８５、８５間に設けられた軸部材８４を介して軸支されている。
【００４７】
アーム８３は、特に図１３（ａ）、（ｂ）に示されるように、軸部材８４周りに装着されたコイルバネ８６により、先端のローラ８２が取付管５９に装着されるロール状のシート部材Ｓの外周面に当接する方向に付勢されており、シート部材Ｓの引出しに伴いローラ８２がロール状のシート部材Ｓの厚みの変化に追従して回転するようになっている。また、図１３（ｂ）に示されるようにアーム８３の先端外面には、このローラ８２の回転量を回転軸８７を介して検出する検出手段としての検出センサ８８が取り付けられている。この検出センサ８８から延出される信号ケーブルＫは、アーム８３の上端から基体部２４の所定箇所に設けられる制御ユニット８９（図１１参照）内の制御部（図示略）に接続されており、後述するように制御部は検出センサ８８より出力されるローラ８２の回転量に基づいて巻取モータ６８の駆動制御を行うようになっている。
【００４８】
また、図１３（ａ）（ｂ）に示されるように、取付片８５の内面にはストッパ９０がアーム８３の端縁に当接可能に設けられており、図７中２点鎖線で示されるように、ローラ８２が取付管５９に装着された芯材５８の外周に当接する直前に位置した時点でアーム８３の端縁が当接され、アーム８３の取付管５９方向への移動が規制されるようになっている。よって、芯材５８に巻回されたシート部材Ｓの残量が残り少なくなると、アーム８３がストッパ９０に当接規制されてローラ８２がシート部材Ｓから離間されることになるので、シート部材Ｓの引出しが行われてもローラ８２が回転しないことになる。後述するように、制御部は巻取モータ６８を駆動させている状態においてローラ８２の回転が検出されない場合、エラー信号を管理コンピュータ等に出力し、シート部材Ｓの交換時期か、あるいはローラ８２や検出センサ８８等の動作不良が発生した旨が外部に報知される。
【００４９】
また、このアーム８３は、ローラ８２がロール状のシート部材Ｓから離間する方向に退避できるように軸支されているため、シート部材Ｓの取付け、取り外し時において邪魔になることがない。
【００５０】
次に、シート部材Ｓの装着方法を説明する。まず、図１１（ａ）に示されるように、スライド部材６２が図中右側の支持板２９’側に位置している状態から、図１１（ｂ）に示されるように取手６５を介してスライド部材６２を反対側の支持板２９方向に移動する。スライド部材６２を支持板２９に近接させた状態において、取付ユニット２６を構成する取付管５９、巻取管６１、及びガイド棒６４、６４’は支持板２９より外方に突出することになる（図１２参照）。
【００５１】
ここで、まず取付管５９に、外周に新規なシート部材Ｓが多重に巻回された芯材５８を、アーム８３を取付管５９から離間させた状態で挿入するとともに、このシート部材Ｓの一端を引き出してガイド棒６４の外周に沿って折り返し、さらに反対側のガイド棒６４’の外周に沿って下方に向けて折り返した後、巻取管６１に同じように挿入した芯材６０の外周に固定する（図７、図９、図１２参照）。そして前述したように各操作部材７６を押し込み、各芯材５８、６０を固定する。なお、ここで例えば取付管５９を軸周りに回転させることで、少なくとも両ガイド棒６４、６４’間にシート部材Ｓがほぼ水平状態に張設されるようにしておくことが好ましい。
【００５２】
シート部材Ｓを装着した後、取手６５を介してスライド部材６２を基体部２４側に移動させる。ここで、両ガイド棒６４、６４’間にほぼ水平状態に張設されたシート部材Ｓは、側板５１の下端と揺動板３２の上面との間に形成された隙間（図６、図７参照）内に滑り込み、スライド部材６２が支持板２９’側に近接するように位置した状態において、揺動板３２上面全体を覆うように敷設されることになる。
【００５３】
そしてこの状態において、シート部材Ｓは、巻取管６１により揺動板３２の長手方向、すなわち、玉通路部２５の長手方向に沿うように、かつ、パチンコ玉の移動方向の上流側に引き出されて巻取られるように設けられることになる。よって、前述したように玉通路部２５を移動するパチンコ玉は、ガイド部材５６、５６’により、シート部材Ｓの引出し方向に対して横切る方向に案内されるようになっている。
【００５４】
また、このようにシート部材Ｓを装着する取付ユニット２６が、基体部２４に対してスライド移動自在に、かつ、巻取管６１や取付管５９等が基体部２４の外部に突出するように構成されていることにより、使用済みのシート部材Ｓの取り外し、及び新規なシート部材Ｓの取付け時において、基体部２４や玉通路部２５を構成する各部位が邪魔になることがないばかりか、図３のように遊技島台１’内に設置した際、装置全体を移動することなく、取付ユニット２６のみを外方に引出して交換作業等を行えるため、作業性が向上する。
【００５５】
さらに、垂直腕部６２ａ、６２ｂの外側面所定箇所には、図１１（ａ）に示されるように、シート部材Ｓが玉通路部２５上にセットされる位置において、支持板２４の側面所定箇所に突設された係止ピン１２４に対して係脱する係合部が形成されたキャッチ片１２３が取り付けられている。よって、このキャッチ片１２３が係止ピン１２４に係合することにより、スライド部材６２が、シート部材Ｓが玉通路部２５上にセットされる位置にて固定されるため、揺動板３２の揺動時に発生する振動により不用意にスライド移動し、シート部材Ｓの位置ずれ等が生じること等がない。
【００５６】
次に、本実施例の清浄装置１７におけるパチンコ玉の清浄作用を図面に基づいて説明する。
【００５７】
清浄装置１７は、図２、図３、図１４、図１５に示されるように、整流部材５４が回収樋部１５の一部を構成する排出樋１５ａの最下流部に形成される排出部９１の下方に位置し、かつ、通路部材５５に連設される中継部材９２の下流側端部が下部タンク１６の側面に形成される穴部１６ａ内に遊挿されるように配設される。また、脚部材２７下端の防振ゴム２７ａの下面は床面Ｆ上に直接接地される。すなわち、整流部材５４や通路部材５５、中継部材９２を含める清浄装置１７を構成する各部位が、遊技島台１’や、その内部に配設される各種部材や装置等に対して非接触状態となるように遊技島台１’内下部に配設されるため、装置全体の揺動が周辺に伝達して周辺の各種部材や装置等に悪影響を及ぼすことがない。
【００５８】
回収樋部１５内に回収されたパチンコ玉は、排出樋１５ａを流下して排出部９１より下方に落下され、さらに整流部材５４の貯留部５３を介して玉通路部２５に流入して玉通路部２５を通過した後、通路部材５５、中継部材９２を通過して下部タンク１６内に排出されることになる。
【００５９】
ここで、図６に示されるように、この玉通路部２５を構成する揺動板３２は、前述のようにモータ３５の回転軸３６に対して偏心する偏心部材３８の上端にベアリング４３を介して相対回転可能に取り付けられる支持部材４２に取り付けられているため、モータ３５を駆動させて回転軸３６が回転されると偏心部材３８が偏心回転し、それに伴い揺動板３２が水平方向に揺動されることになる。この揺動板３２の水平揺動に伴い、シート部材Ｓの上面に載置される各パチンコ玉が回転されてその表面がシート部材Ｓに対して擦り付けられることになり、玉通路部２５を通過する間にパチンコ玉の表面に付着した汚れやゴミ等がシート部材Ｓに拭い取られて清浄されることになる。
【００６０】
そして平面視略細長矩形状に形成された揺動板３２は、基体部２４上部に固設された支持盤３３の上面の台座４４上に摺動自在に支持される支持部材４２に取り付けられ、下面広範囲が支持されているとともに、下面四隅近傍が引張りバネ４７により支持盤３３方向に向けて付勢されているため、揺動板３２の端部に生じる上下方向のあばれが抑制され、揺動板３２が円滑に、かつ安定して水平揺動されるようになっている。
【００６１】
さらに、揺動板３２上に位置するパチンコ玉は、付勢手段としての蓋部材５７によりシート部材Ｓに付勢されることにより、揺動板３２の揺動時における飛び跳ね等が防止されるばかりか、シート部材Ｓに確実に擦り付けられることになるので、清浄作用の低減が効果的に抑制される。
【００６２】
また、蓋部材５７により付勢されるパチンコ玉によりシート部材Ｓがゴムシート４８に圧接されるため、揺動板３２の水平揺動がシート部材Ｓに効果的に伝達されて清浄作用が高まるばかりか、揺動により生じる接触音等が抑制される。
【００６３】
また、本実施例における揺動板３２は、特に図示しないが、パチンコ玉の移動方向に行くに従い若干上方に傾斜するように配設されているため、揺動板３２上に流入されたパチンコ玉は所定時間揺動板３２上に滞留して清浄され、大半は上流側より流入されるパチンコ玉により押し出されて下流側に向けて移動されて下部タンク１６に排出されることになる。
【００６４】
次に、本実施例の清浄装置１７の揺動板３２の揺動手段としてのモータ３５、及び引出し手段としての巻取モータ６８の駆動制御内容を説明する。
【００６５】
図１５に示されるように、整流部材５４における貯留部５３を構成する側壁所定高さ位置には、制御ユニット８９内に設けられる図示しない制御部に電気的に接続された近接センサ９３が設けられており、前記制御部は貯留部５３内に所定量のパチンコ玉が貯留されたことが近接センサ９３により検出された時点でモータ３５を駆動するようになっている。すなわち、玉通路部２５内にパチンコ玉がある程度滞留された時点でモータ３５が駆動し、揺動板３２が揺動することでパチンコ玉の清浄が行われることになるため、営業時間中においてモータ３５を常時駆動させている場合に比べて、モータ３５を無駄に駆動させることなく、パチンコ玉の清浄が効率的に行われることになる。
【００６６】
なお、モータ３５を例えば予め定められた所定時間間隔おきに所定時間駆動するように制御すること等も可能であり、特に前記近接センサ９３を用いた駆動制御に限定されるものではない。
【００６７】
また、近接センサ９３によるパチンコ玉の検出結果に基づいてモータ３５を駆動させる前記制御部（図示略）は、所定内容のプログラムに基づいてモータ３５の総駆動時間を内部の記憶部（図示略）に記憶するとともに、このモータ３５の総駆動時間に基づいて巻取モータ６８の駆動を実行するようになっている。
【００６８】
この巻取モータ６８の制御内容を図１７のフローチャートに基づいて説明すると、まずＳ１において、前記制御部はモータ３５の駆動が開始したか否かを判定し、モータ３５が駆動したと判定した場合、駆動時間のカウントを開始してＳ２に進み、駆動していない場合はＳ１に戻る。Ｓ２においては、モータ３５の総駆動時間が前記記憶部に予め登録された所定時間に達したか否かを判定し、前記所定時間に達したと判定した場合はＳ３に進んで巻取モータ６８を駆動し、所定時間に達していないと判定した場合はＳ２に戻る。
【００６９】
Ｓ３において巻取モータ６８が駆動されると、Ｓ４において検出センサ８８を介してローラ８２の回転数の検出を実行するとともに、その回転が検出された場合はＳ５に進み、前記記憶部に予め登録された回転数（ここでは、揺動板３２の長手幅分のシート部材Ｓを引き出すために必要な回転数）に達したか否かを判定し、前記予め登録された回転数に達したと判定した場合はＳ６に進むとともに、Ｓ５において前記予め登録された回転数に達していないと判定した場合は再びＳ４に戻る。
【００７０】
また、Ｓ４においてローラ８２の回転が検出されない場合は、前述したように、アーム８３の上部前端縁がストッパ９０に当接されてアーム８３の取付管５９方向への揺動が規制されてローラ８２がシート部材Ｓから離間されていることになるため、制御部は芯材５８に巻回されたシート部材Ｓの残量が残り少なくなったか、あるいは検出センサ８８やローラ８２の回転不良等のエラーが発生したと判断し、Ｓ８においてこれを外部の例えば管理コンピュータ等に出力し、シート部材Ｓの交換時期が近づいたか、あるいは動作不良等によるエラーの発生等が報知されることになる。
【００７１】
Ｓ６においては、回転軸６４を予め登録された回転量（例えば１回転分）だけ逆回転してＳ７に進んだ後、巻取モータ６８の駆動を停止し、シート部材Ｓの引き出し動作を終了する。
【００７２】
このような制御プログラムに基づいて巻取モータ６８が駆動すると、図７に示されるように、取付管５９が軸周りに回転して芯材５８に巻回された新規なシート部材Ｓが揺動板３２のゴムシート４８の上面に引き出されるとともに、それまで揺動板３２上に敷設されていた汚れたシート部材Ｓが、巻取管６１に対して相対回転不能に取り付けられた芯材６０の外周にコンパクトに巻回される。
【００７３】
すなわち、シート部材Ｓがある程度汚れた頃に新規なシート部材Ｓが玉通路２５上に敷設されるため、パチンコ玉の清浄作用の低下が抑制される。また、汚れたシート部材Ｓは芯材６０に巻回されてコンパクトに収容されるため、芯材５８を取付管５９から、また、芯材６０を巻取管６１から抜き取るだけで、シート部材Ｓを容易に交換することが出来る。
【００７４】
また、巻取モータ６８は、モータ３５が駆動している状態においてのみ駆動するように制御されており、揺動板３２の水平揺動によりパチンコ玉が回転している状態でシート部材Ｓの引き出しが行われることになるため、引出し時におけるシート部材Ｓとパチンコ玉、及びシート部材Ｓとゴムシート４８との間に生じる摩擦抵抗が軽減することになり、揺動板３２上に敷設されたシート部材Ｓ上にパチンコ玉が載置されている状態にあっても比較的小さな力でシート部材Ｓを引き出すことが出来るため、巻取モータ６８に負荷がかかることがない。
【００７５】
また、本実施例においては、ローラ８２の回転量を設定しておくことで所定長さのシート部材Ｓが交換されるようになっており、特に玉通路部２５の長手幅分のシート部材Ｓが引き出された時点で回転軸６９の回転が停止されるようになっているが、このシート部材Ｓの引き出し長さは任意に設定可能であり、例えば玉通路部２５の長手幅の半分の長さずつ、シート部材Ｓが引き出されるようにしてもよい。
【００７６】
また、所定長さのシート部材Ｓの引き出しが終了された時点で巻取モータ６８の回転軸６９が若干逆回転されるようになっていることにより、揺動板３２上に敷設されたシート部材Ｓに若干の遊びが生じ、シート部材Ｓが揺動板３２とともに揺動しやすくなってパチンコ玉との摺接作用が向上するため、清浄作用が向上する。
【００７７】
また、本実施例における巻取モータ６８は、モータ３５の駆動時間が予め定められた所定時間に達した時点で駆動するようになっているが、モータ３５の駆動時間に関わらず、予め定められた所定時間間隔おきに駆動するように制御してもよい。
【００７８】
そして巻取モータ６８によるシート部材Ｓの引出し量が、前述したように取付管５９に装着されるシート部材Ｓに当接されるローラ８２の回転を検出可能な検出センサ８８により検出されるようになっているため、巻取モータ６８の回転軸６９の回転を検出する場合に比べて簡単な制御にて、シート部材Ｓを所定長さずつ正確に引き出すことが出来る。
【００７９】
さらに、制御部は、巻取モータ６８を駆動させている状態においてローラ８２の回転が検出されなかった場合、前述したようにローラ８２がシート部材Ｓから離間された状態、すなわち芯材５８に巻回されたシート部材Ｓの残量がわずかとなった、もしくは検出センサ８８やローラ８２の動作不良と判断して、例えばホール内の管理コンピュータや、あるいは遊技島台１の所定箇所に設けられる表示装置等にエラー信号を出力するようになっているため、シート部材Ｓが汚れた状態で清浄を続け、清浄作用が著しく低減されるようなことがない。
【００８０】
また、巻取モータ６８は、モータ３５の駆動に連動して駆動するようになっているが、モータ３５の駆動に関わらず、予め定められた所定時間間隔おきに駆動するように制御してもよい。
【００８１】
また、シート部材Ｓが、玉通路部２５の長手方向に引き出されるように設けられているので、横幅の異なるシート部材Ｓを多数用意することなく、玉通路部２５の長さに応じてシート部材Ｓを容易に設けることが出来るばかりか、巻取管６１や取付管５９をコンパクト化出来る。
【００８２】
そしてパチンコ玉は玉通路２５上を下流側に移動しながら徐々に清浄されていくため、シート部材Ｓは基本的に下流側より上流側の方が汚れやすいことになる。よって、巻取モータ６８により回転する巻取管６１を玉通路部２５における上流側に設けることにより、シート部材Ｓは汚れ度合いの高い箇所から巻き取られることになるので、シート部材Ｓを効率よく使用出来ることになる。
【００８３】
また、シート部材Ｓの芯材５８、６０は、基体部２４に対して水平方向にスライド移動可能に取り付けられた取付ユニット２６の取付管５９及び巻取管６１に取付可能とされているため、図３に示されるように、腰板７を外して遊技島台１’下部を開放し、取付ユニット２６を図中２点鎖線で示されるように手前側にスライド移動させるのみで、シート部材Ｓの交換やメンテナンス等を、遊技島台１’の外部において容易に行うことが出来る。
【００８４】
なお、本実施例における回収樋部１５は、図１４及び図１６に示されるように、清浄装置１７にパチンコ玉を導く排出樋１５ａの反対側にはパチンコ玉を下部タンク１６に直接導くオーバーフロー樋１５ｂが形成されており、特に図１６に示されるように、排出樋１５ａの上流側までパチンコ玉が滞留した場合、新たに回収されるパチンコ玉はオーバーフロー樋１５ｂを介して下部タンク１６の上面に形成される穴部１６ｂから落下されるようになっている。よって、例えば短時間内に大量のパチンコ玉が回収されたり、清浄装置１７のモータ３５が故障した場合等にあっても、パチンコ玉の循環が滞ることがない。
【００８５】
以上説明したように、本実施例においては、揺動板３２上のパチンコ玉をシート部材Ｓに付勢する付勢手段が、所定重量を有し、かつ、前記揺動板３２上に位置するパチンコ玉の上部に載置されるように設けられる板状の蓋部材５７により構成されている。よって、簡単な構成にて、パチンコ玉をシート部材Ｓに付勢することが出来るため、清浄作用の低減が効果的に抑制されるばかりか、玉通路部２５の上方から揺動板３２の上方に載置するだけで容易にセットすることが可能であるとともに、シート部材Ｓの交換時や、玉詰まり等の発生時においても容易に取り外すことが出来、邪魔になることがない。
【００８６】
前記各実施例における各要素は、本発明に対して以下のように対応している。
【００８７】
本発明の請求項１は、遊技機（パチンコ機２）が設置される遊技島台（１、１’）内に設置され、該遊技島台内を循環する遊技媒体（パチンコ玉）が移動する遊技媒体通路（玉通路部２５）を有し、該遊技媒体通路を通過する遊技媒体（パチンコ玉）の表面を清浄するシート状の清浄部材（シート部材Ｓ）が上面に敷設された揺動板（３２）を揺動手段（モータ３５）により水平方向に揺動することにより、前記清浄部材（シート部材Ｓ）上に載置される遊技媒体を清浄する遊技媒体清浄装置（１７）であって、前記揺動板（３２）上の遊技媒体（パチンコ玉）を前記清浄部材（シート部材Ｓ）に付勢する付勢手段（蓋部材５７）が設けられ、前記清浄部材が、前記遊技媒体通路の側方位置までスライド移動出来るように装置の基体部（２４）に対してスライド移動自在に設けられた取付ユニット（２６）に着脱自在に設けられ、前記取付ユニットは、帯状の新規な清浄部材（シート部材Ｓ）を補給する補給部（取付管５９）と、該補給部に補給された新規な清浄部材（シート部材Ｓ）を前記遊技媒体通路（玉通路部２５）に引き出す引出し手段（巻取管６１）と、を備える。
【００８８】
本発明の請求項２は、前記付勢手段が、所定重量を有し、かつ、前記揺動板（３２）上に位置する遊技媒体（パチンコ玉）の上部に載置されるように設けられる板状部材（蓋部材５７）により構成されている。
【００８９】
本発明の請求項３は、前記清浄部材（シート部材Ｓ）上に遊技媒体（パチンコ玉）が載置されていない状態において、前記板状部材（蓋部材５７）を、その下面が前記清浄部材（シート部材Ｓ）上に載置される遊技媒体（パチンコ玉）の上端よりも下方に、かつ、前記清浄部材（シート部材Ｓ）と離間する位置で保持する保持手段（ガイド部材５６、５６’）が設けられている。
【００９０】
本発明の請求項４は、前記板状部材（蓋部材５７）における遊技媒体（パチンコ玉）の流入側端部に、流入側に向かって上方に傾斜するテーパ面（５７ａ）が形成されている。
【００９１】
本発明の請求項５は、前記板状部材（蓋部材５７）の少なくとも遊技媒体（パチンコ玉）の移動方向への移動を規制する規制手段（棒材１２２）が設けられている。
【００９２】
以上、本発明の実施例を図面により説明してきたが、具体的な構成はこれら実施例に限られるものではなく、本発明の要旨を逸脱しない範囲における変更や追加があっても本発明に含まれる。
【００９３】
例えば、上記実施例においては、揺動板３２上に位置するパチンコ玉をシート部材Ｓに向けて付勢する付勢手段として、揺動板３２上にフリーな状態で設けられる所定重量の蓋部材５７（板状部材）が示されていたが、パチンコ玉をシート部材Ｓに付勢するようになっていればその構成等は上記のものに限定されるものではなく、例えば軽量の蓋部材がバネ等の付勢手段を介して付勢されるようになっていてもよい。
【００９４】
さらに、蓋部材５７を所定高さ位置にて固定するとともに、揺動板３２自体を付勢手段としてのバネ等を介して上方に付勢することにより、パチンコ玉がシート部材Ｓに付勢さるように構成されていてもよい。
【００９５】
また、本発明請求項中に記載の「遊技媒体」は、上記実施例における球状のパチンコ玉に対応しているが、特にこれに限定されるものではなく、例えば遊技機としてのスロットマシン等に使用されるコイン等であってもよい。
【００９６】
【発明の効果】
本発明は以下の効果を奏する。
【００９７】
（ａ）請求項１項の発明によれば、揺動板が水平揺動することにより、清浄部材上に載置される遊技媒体が清浄部材に摺接されて、その表面に付着された汚れやゴミ等が拭い取られるとともに、付勢手段により遊技媒体が清浄部材に付勢されることにより、揺動時における遊技媒体の飛び跳ね等が防止され、清浄部材に確実に擦り付けられることになるので、清浄作用の低減が効果的に防止される。また、使用済みの清浄部材の取り外し、及び新規なシート部材の取付け時において、基体部や遊技媒体通路を構成する各部位が邪魔になることがないばかりか、遊技島台内に取付ユニットを設置した際、装置全体を移動することなく、取付ユニットのみを外方に引出して交換作業等を行えるため、作業性が向上する。
【００９８】
（ｂ）請求項２項の発明によれば、簡単な構成にて、遊技媒体を清浄部材に付勢することが出来る。
【００９９】
（ｃ）請求項３項の発明によれば、揺動板上に遊技媒体がなくなっても、板状部材は保持手段により揺動板の上方所定高さ位置に保持されて、揺動板上に落下することがないばかりか、保持された状態において遊技媒体は揺動板と板状部材との間に流入されるので、遊技媒体の流入が妨げられることがない。
【０１００】
（ｄ）請求項４項の発明によれば、揺動板と清浄部材との間に遊技媒体が流入しやすくなる。
【０１０１】
（ｅ）請求項５項の発明によれば、揺動板と清浄部材との間に流入した遊技媒体の移動に伴う板状部材の位置ずれが防止される。
【図面の簡単な説明】
【図１】本発明の適用された遊技島台を示す斜視図である。
【図２】図１の遊技島台の内部構造を示す正面図である。
【図３】図１の遊技島台の内部構造を示す側面図である。
【図４】清浄装置全体を示す斜視図である。
【図５】図４の清浄装置のＡ−Ａ断面図である。
【図６】図５のＢ−Ｂ断面図である。
【図７】図５の要部拡大断面図である。
【図８】玉通路部を示す平面図である。
【図９】図７のＣ−Ｃ断面図である。
【図１０】（ａ）（ｂ）は巻取管における芯材の取付構造を示す一部破断図である。
【図１１】取付ユニットの移動状態を示す側面図である。
【図１２】取付ユニットが手前側に引き出された状態を示す斜視図である。
【図１３】（ａ）は図１２のＤ−Ｄ断面図、（ｂ）は（ａ）のＥ−Ｅ断面図、（ｃ）はアームの下端を示す図である。
【図１４】清浄装置が接地された遊技島台内におけるパチンコ玉の循環状態を示す概略図である。
【図１５】清浄装置における玉通路部の上流側端部を示す断面図である。
【図１６】回収樋部を示す要部拡大図である。
【図１７】巻取モータの駆動制御内容を示すフロー図である。
【符号の説明】
１、１’            遊技島台
２                  パチンコ機
３                  カードユニット
４、４’            側板
５                  上部フレーム
６                  下部フレーム
７                  腰板
８                  幕板
９                  ランプ板
１０                膳板
１１                玉計数装置
１２                玉受皿
１３                下皿
１４                スライドレバー
１５                回収桶部
１５ａ              排出樋
１５ｂ              オーバーフロー樋
１６                下部タンク
１６ａ、１６ｂ      穴部
１７                清浄装置
１８                揚送装置
１９                揚送樋
２０                上部タンク
２１ａ、２１ｂ      補給シュート
２２                カウンタ
２３                アウト玉タンク
２４                基体部
２５                玉通路部
２６                取付ユニット
２７                脚部材
２７ａ              防振ゴム
２８                下板
２９、２９’        支持板
３０、３０’        上部フレーム
３１、３１’        下部フレーム
３２                揺動板
３３                支持盤
３４                ネジ
３５                モータ
３６                回転軸
３７                挿通孔
３８                偏心部材
３９                貫通孔
４０                バランスウェイト
４１                凹部
４２                支持部材
４３                ベアリング
４４                台座
４５                凹溝
４６                固定ネジ
４７                バネ
４８                ゴムシート
４９                支持フレーム
５０                水平片
５１、５１’        側板
５２                固定部材
５３                貯留部
５４                整流部材
５５                通路部材
５６、５６’        ガイド部材
５６ａ              傾斜片
５７                蓋部材
５７ａ              テーパ面
５８                芯材
５９                取付管
６０                巻取管
６０                芯材
６１                巻取管
６１ａ              小径管
６２                スライド部材
６２ａ、６２ｂ      垂直腕部
６３                支持棒
６４                ガイド棒
６５                取手
６６                連結部材
６７                規制部材
６８                巻取モータ
６９                回転軸
７０                プーリ
７１                連結ベルト
７２                プーリ
７３                取付部材
７３ａ              突片
７４                固定片
７５                軸
７６                操作部材
７７                穴部
７８                ネジ
７９                溝部
８０                板バネ
８１                ストッパ部材
８２                ローラ
８３                アーム
８４                軸部材
８５                取付片
８６                コイルバネ
８７                回転軸
８８                検出センサ
８９                制御ユニット
９０                ストッパ
９１                排出部
９２                中継部材
９３                近接センサ
９５                ゴムリング
１００              清浄装置
１０１              揚送樋
１０２              下部回転ドラム
１０３              上部回転ドラム
１０４              揚送ベルト
１０５              駆動モータ
１０６              ガイドローラ
１０７              ガイド溝
１０８              ガイド部材
１０９              スプリング
１１０              カバーケース
１１１              巻取管
１１２              巻取モータ
１１３              取付管
Ｆ                  床面
Ｋ                  信号ケーブル
Ｓ                  シート部材
【図１】
0004711363.tif 000002
【図２】
0004711363.tif 000003
【図３】
0004711363.tif 000004
【図４】
0004711363.tif 000005
【図５】
0004711363.tif 000006
【図６】
0004711363.tif 000007
【図７】
0004711363.tif 000008
【図８】
0004711363.tif 000009
【図９】
0004711363.tif 000010
【図１０】
0004711363.tif 000011
【図１１】
0004711363.tif 000012
【図１２】
0004711363.tif 000013
【図１３】
0004711363.tif 000014
【図１４】
0004711363.tif 000015
【図１５】
0004711363.tif 000016
【図１６】
0004711363.tif 000017
【図１７】
0004711363.tif 000018